【手続補正書】
【提出日】平成30年2月20日(2018.2.20)
【手続補正１】
【補正対象書類名】明細書
【補正対象項目名】００６３
【補正方法】変更
【補正の内容】
【００６３】
すべての破壊が接着タイプであり、そして剥離強さが不十分（３０Ｎ／ｃｍ未満）であることが認められる。
本発明の代表的態様としては、以下を挙げることができる：
《態様１》
無機ガラス製の基材上にエラストマーをオーバーモールドするための熱可塑性組成物であって、
（ａ）５０〜７０重量％の、スチレンブロックを含むコポリマー（ＴＰＥ−Ｓ）から選ばれる少なくとも１種の熱可塑性エラストマー（ＴＰＥ）、
（ｂ）２０〜３５重量％、好ましくは２２〜３０重量％の、ポリプロピレンホモポリマー（ＰＰ）、エチレンホモポリマー（ＰＥ）及びプロピレンとエチレンとのコポリマーから選ばれるポリオレフィン、
（ｃ）少なくとも７重量％、好ましくは８〜２０重量％、特に９〜１５重量％の、官能性アルコキシシラン、
を含み、これらの百分率は成分（ａ）、（ｂ）及び（ｃ）の合計に対して表されている、無機ガラス製の基材上にエラストマーをオーバーモールドするための組成物。
《態様２》
（ａ）＋（ｂ）＋（ｃ）の合計に対して０．５〜１０重量％、好ましくは１〜５重量％の、無水マレイン酸（ＭＡＨ）によりグラフトされた少なくとも１種の有機ポリマーをさらに含むことを特徴とする、態様１記載の組成物。
《態様３》
無水マレイン酸によりグラフトされた前記有機ポリマーを、無水マレイン酸によりグラフトされたＴＰＥ−Ｓ及び無水マレイン酸によりグラフトされたポリオレフィンから選ぶことを特徴とする、態様２記載の組成物。
《態様４》
前記官能性アルコキシシランが、アミノシラン、エポキシシラン、ビニルシラン、メルカプトシラン及び（メタ）アクリロイルシラン並びにこれらの混合物から選ばれ、そして好ましくは、アミノシラン、ビニルシラン及びエポキシシランから選ばれる少なくとも２種のシランの混合物であることを特徴とする、態様１〜３のいずれか一つに記載の組成物。
《態様５》
揮発性有機溶媒を含まないことを特徴とする、態様１〜４のいずれか一つに記載の組成物。
《態様６》
基材上に熱可塑性組成物を射出することによりオーバーモールドするための方法であって、以下の一連の段階、すなわち、
（１）態様１〜５のいずれか一つに記載の熱可塑性組成物を１０００Ｐａ・ｓ-1未満の粘度を得るのに十分な温度に加熱する段階、
（２）加熱した熱可塑性組成物を基材の一部分、好ましくはグレージングの端部を挿入した成形型キャビティー中に射出する段階、
（３）成形型からグレージングにオーバーモールドした集成体を取り出す段階、
を含む、基材上に熱可塑性組成物を射出することによりオーバーモールドするための方法。
《態様７》
基材上に熱可塑性組成物を押出しすることによりオーバーモールドするための方法であって、以下の一連の段階、すなわち、
（１）態様１〜５のいずれか一つに記載の熱可塑性組成物を１０００Ｐａ・ｓ-1未満の粘度を得るのに十分な温度に至るまで押出機内で加熱する段階、
（２）加熱した熱可塑性組成物を基材、好ましくはグレージングの端部と接触させて押出しする段階、
を含む、基材上に熱可塑性組成物を押出しすることによりオーバーモールドするための方法。
《態様８》
成形型から取り出す段階又は押出しする段階の後に、基材又はポリマーによりオーバーモールドした基材の部分を、好ましくは５０℃を超える温度、特に６０℃と１５０℃の間、理想的には７０℃と１００℃の間の温度で加熱する段階をさらに含むことを特徴とする、態様６又は７記載の方法。
《態様９》
前記熱可塑性組成物と接触する基材の部分に有機下塗り層がなく、加熱した前記熱可塑性組成物が基材、好ましくはグレージングを形成している無機ガラスと直接接触することを特徴とする、態様６〜８のいずれか一つに記載の方法。
《態様１０》
加熱した熱可塑性組成物を射出又は押出しする段階の前に、基材又は基材のオーバーモールドする部分を、好ましくは５０℃を超える温度で、特に６０℃と１５０℃の間、理想的には７０℃と１００℃の間の温度で加熱する段階をさらに含むことを特徴とする、態様６又は７記載の方法。
《態様１１》
オーバーモールドしようとする基材の表面をプラズマ又はコロナ放電、好ましくは大気プラズマにより物理的に前処理する段階、又は、オーバーモールドしようとする表面を、官能性シランの適用、及び／又は有機チタネート、ジルコネート及びジルコアルミネートから選ばれる付着促進剤の適用により化学的に前処理する段階をさらに含むことを特徴とする、態様６〜１０のいずれか一つに記載の方法。
【手続補正２】
【補正対象書類名】特許請求の範囲
【補正対象項目名】全文
【補正方法】変更
【補正の内容】
【特許請求の範囲】
【請求項１】
無機ガラス製の基材上にエラストマーをオーバーモールドするための熱可塑性組成物であって、
（ａ）５０〜７０重量％の、スチレンブロックを含むコポリマー（ＴＰＥ−Ｓ）から選ばれる少なくとも１種の熱可塑性エラストマー（ＴＰＥ）、
（ｂ）２０〜３５重量％の、プロピレンホモポリマー（ＰＰ）、エチレンホモポリマー（ＰＥ）及びプロピレンとエチレンとのコポリマーから選ばれるポリオレフィン、
（ｃ）少なくとも７重量％の、官能性アルコキシシラン、
を含み、これらの百分率は成分（ａ）、（ｂ）及び（ｃ）の合計に対して表されている、無機ガラス製の基材上にエラストマーをオーバーモールドするための組成物。
【請求項２】
（ａ）＋（ｂ）＋（ｃ）の合計に対して０．５〜１０重量％の、無水マレイン酸（ＭＡＨ）によりグラフトされた少なくとも１種の有機ポリマーをさらに含むことを特徴とする、請求項１記載の組成物。
【請求項３】
無水マレイン酸によりグラフトされた前記有機ポリマーを、無水マレイン酸によりグラフトされたＴＰＥ−Ｓ及び無水マレイン酸によりグラフトされたポリオレフィンから選ぶことを特徴とする、請求項２記載の組成物。
【請求項４】
前記官能性アルコキシシランが、アミノシラン、エポキシシラン、ビニルシラン、メルカプトシラン及び（メタ）アクリロイルシラン並びにこれらの混合物から選ばれることを特徴とする、請求項１〜３のいずれか１項記載の組成物。
【請求項５】
前記官能性アルコキシシランが、アミノシラン、ビニルシラン及びエポキシシランから選ばれる少なくとも２種のシランの混合物であることを特徴とする、請求項４記載の組成物。
【請求項６】
揮発性有機溶媒を含まないことを特徴とする、請求項１〜５のいずれか１項記載の組成物。
【請求項７】
基材上に熱可塑性組成物を射出することによりオーバーモールドするための方法であって、以下の一連の段階、すなわち、
（１）請求項１〜６のいずれか１項記載の熱可塑性組成物を１０００Ｐａ・ｓ-1未満の粘度を得るのに十分な温度に加熱する段階、
（２）加熱した熱可塑性組成物を基材の一部分を挿入した成形型キャビティー中に射出する段階、
（３）成形型から前記基材にオーバーモールドした集成体を取り出す段階、
を含む、基材上に熱可塑性組成物を射出することによりオーバーモールドするための方法。
【請求項８】
前記基材の一部分がグレージングの端部であることを特徴とする、請求項７記載の方法。
【請求項９】
基材上に熱可塑性組成物を押出しすることによりオーバーモールドするための方法であって、以下の一連の段階、すなわち、
（１）請求項１〜６のいずれか１項記載の熱可塑性組成物を１０００Ｐａ・ｓ-1未満の粘度を得るのに十分な温度に至るまで押出機内で加熱する段階、
（２）加熱した熱可塑性組成物を基材と接触させて押出しする段階、
を含む、基材上に熱可塑性組成物を押出しすることによりオーバーモールドするための方法。
【請求項１０】
段階（２）において、加熱した熱可塑性組成物をグレージングの端部と接触させて押出しすることを特徴とする、請求項９記載の方法。
【請求項１１】
成形型から取り出す段階又は押出しする段階の後に、基材又はポリマーによりオーバーモールドした基材の部分を５０℃を超える温度で加熱する段階をさらに含むことを特徴とする、請求項７〜１０のいずれか１項記載の方法。
【請求項１２】
前記基材又は前記基材の部分を６０℃と１５０℃の間の温度で加熱することを特徴とする、請求項１１記載の方法。
【請求項１３】
前記熱可塑性組成物と接触する基材の部分に有機下塗り層がなく、加熱した前記熱可塑性組成物が基材と直接接触することを特徴とする、請求項７〜１２のいずれか１項記載の方法。
【請求項１４】
前記基材がグレージングを形成している無機ガラスであることを特徴とする、請求項１３記載の方法。
【請求項１５】
加熱した熱可塑性組成物を射出又は押出しする段階の前に、基材又は基材のオーバーモールドする部分を５０℃を超える温度で加熱する段階をさらに含むことを特徴とする、請求項７〜１０のいずれか１項記載の方法。
【請求項１６】
前記基材又は前記基材のオーバーモールドする部分を６０℃と１５０℃の間の温度で加熱することを特徴とする、請求項１５記載の方法。
【請求項１７】
オーバーモールドしようとする基材の表面をプラズマ又はコロナ放電により物理的に前処理する段階、又は、オーバーモールドしようとする表面を、官能性シランの適用、及び／又は有機チタネート、ジルコネート及びジルコアルミネートから選ばれる付着促進剤の適用により化学的に前処理する段階をさらに含むことを特徴とする、請求項７〜１６のいずれか１項記載の方法。
【請求項１８】
前記プラズマが大気プラズマであることを特徴とする、請求項１７項記載の方法。